(57)【特許請求の範囲】
【請求項１】
光ケーブルを仮接続する際に、一側の光ケーブルの光ファイバ（１）と他側の光ケーブルの光ファイバ（１）とを融着接続し、該融着接続部分（２）を補強する光ケーブルの融着部補強装置であって、
前記融着接続部分（２）を数本並べて固定する際の位置決めとなるように、各融着接続部分（２）を落し込める程度の大きさを有する凹部（５）を形成した基板（３）と、
前記基板（３）に取り付けた、数本並べた光ファイバ（１）及び融着接続部分（２）を同時に被覆するために、前記基板（３）の略全面を覆う程度の大きさを有する１枚のシート材（４）と、を備え、
前記光ファイバ（１）及び融着接続部分（２）を、前記基板（３）と前記シート材（４）間に挟み一括して粘着固定するように構成した、ことを特徴とする光ケーブルの融着部補強装置。
【請求項２】
光ケーブルを仮接続する際に、一側の光ケーブルの光ファイバ（１）と他側の光ケーブルの光ファイバ（１）とを融着接続し、該融着接続部分（２）を補強する光ケーブルの融着部補強装置であって、
前記融着接続部分（２）を数本並べて固定する際の位置決めとなるように、各融着接続部分（２）を落し込める程度の大きさを有する凹部（５）を形成した基板（３）と、
前記基板（３）の各凹部（５）毎に取り付けた、光ファイバ（１）及び融着接続部分（２）を個々に固定するように、各光ファイバ（１）及び融着接続部分（２）を覆う程度の大きさから成るシート材（４）と、を備え、
光ファイバ（１）及び融着接続部分（２）を、前記基板（３）と各シート材（４）間に挟み個々に粘着固定するように構成した、ことを特徴とする光ケーブルの融着部補強装置。
【請求項３】
前記シート材（４）は透明な部材である、ことを特徴とする請求項１又は２の光ケーブルの融着部補強装置。
【請求項４】
光ケーブルを仮接続する際に、一側の光ケーブルの光ファイバ（１）と他側の光ケーブルの光ファイバ（１）とを融着接続し、該融着接続部分（２）を補強する光ケーブルの融着部補強装置であって、
複数枚の板部材（１１）から成り、各板部材（１１）の端縁をヒンジ（１２）で連結して成る基板（３）と、
各板部材（１１）に形成した、光ファイバ（１）及び融着接続部分（２）の位置決めとなる溝（１３）と、
前記基板（３）の各板部材（１１）に取り付けた、各光ファイバ（１）及び融着接続部分（２）を覆うシート材（４）と、を備え、
前記光ファイバ（１）及び融着接続部分（２）を、各板部材（１１）の溝（１３）と各シート材（４）間に挟み粘着固定した状態で、各板部材（１１）を各ヒンジ（１２）で折り畳めるように構成した、ことを特徴とする光ケーブルの融着部補強装置。
【請求項５】
前記板部材（１１）に、光ファイバ（１）及び融着接続部分（２）の位置決めとなる溝（１３）を、各板部材（１１）の長手方向の中心線（ＣＬ）からずらして形成した、ことを特徴とする請求項４の光ケーブルの融着部補強装置。
【発明の詳細な説明】
【技術分野】
【０００１】
本発明は、光ケーブルの接続技術に係り、特に光ケーブルの光ファイバの融着接続部分を補強する光ケーブルの融着部補強装置に関する。
【背景技術】
【０００２】
光ケーブルを接続試験する際、測定器側の測定用光ケーブルの光ファイバと被測定用光ケーブルの光ファイバとを接続する方法については種々の方法が提案されている。例えば、熱収縮補強スリーブによる接続、光ケーブル簡易突き合わせ器による仮接続又は融着接続機による仮接続方法等がある。光ケーブルの心線数が多い場合は、熱収縮補強スリーブによる接続方法が適している。一方、光ケーブルの心線数が少ない場合は、光ケーブル簡易突き合わせ器による仮接続又は融着接続機による仮接続が効率的であるとされている。
【０００３】
更に、光ケーブルの光ファイバの融着接続部分を固定する技術が提案されている。例えば、特許文献１の特開２００４−３４７８５０公報「光ケーブルの仮接続補強材及びこれを用いた仮接続方法」に示すように、剛性を有する２枚の外板材と、外板材の内面に取り付けた弾力性を有する内板材と、内板材の各側縁を連結するヒンジと、内板材に光コード、光テープ心線の光ファイバを挟み、かつ光ファイバを強固に押圧し得るように外板材に取り付けた締付け具とを備えた光ケーブルの仮接続補強材が提案されている。
【特許文献１】特開２００４−３４７８５０公報
【発明の開示】
【発明が解決しようとする課題】
【０００４】
特許文献１の「光ケーブルの仮接続補強材」は、１心又は１テープ心単位の施工に用いる装置又は治具であった。例えば、光ケーブル単位の補強作業の場合で、この従来の補強装置では、用いる装置の数が多くなるために、個々の管理が煩雑になるという問題を有していた。
【０００５】
本発明は、かかる問題点を解決するために創案されたものである。すなわち、本発明の目的は、光ケーブルの光ファイバの融着接続部分をコンパクトな部材で固定することで、同時に複数本の光ケーブルを補強固定でき、かつ複数本のケーブルを容易に管理することができる光ケーブルの融着部補強装置を提供することにある。
【課題を解決するための手段】
【０００６】
本発明は、光ケーブルを仮接続する際に、一側の光ケーブルの光ファイバ（１）と他側の光ケーブルの光ファイバ（１）とを融着接続し、該融着接続部分（２）を補強する光ケーブルの融着部補強装置であって、前記融着接続部分（２）を数本並べて固定する際の位置決めとなるように、各融着接続部分（２）を落し込める程度の大きさを有する凹部（５）を形成した基板（３）と、前記基板（３）に取り付けた、数本並べた光ファイバ（１）及び融着接続部分（２）を同時に被覆するために、前記基板（３）の略全面を覆う程度の大きさを有する１枚のシート材（４）と、を備え、前記光ファイバ（１）及び融着接続部分（２）を、前記基板（３）と前記シート材（４）間に挟み一括して粘着固定するように構成した、ことを特徴とする。
【０００７】
または、光ケーブルを仮接続する際に、一側の光ケーブルの光ファイバ（１）と他側の光ケーブルの光ファイバ（１）とを融着接続し、該融着接続部分（２）を補強する光ケーブルの融着部補強装置であって、前記融着接続部分（２）を数本並べて固定する際の位置決めとなるように、各融着接続部分（２）を落し込める程度の大きさを有する凹部（５）を形成した基板（３）と、前記基板（３）の各凹部（５）毎に取り付けた、光ファイバ（１）及び融着接続部分（２）を個々に固定するように、各光ファイバ（１）及び融着接続部分（２）を覆う程度の大きさから成るシート材（４）と、を備え、光ファイバ（１）及び融着接続部分（２）を、前記基板（３）と各シート材（４）間に挟み個々に粘着固定するように構成したものでもよい。
例えば、前記シート材（４）は透明な部材にすることが好ましい。
【０００８】
本発明は、光ケーブルを仮接続する際に、一側の光ケーブルの光ファイバ（１）と他側の光ケーブルの光ファイバ（１）とを融着接続し、該融着接続部分（２）を補強する光ケーブルの融着部補強装置であって、複数枚の板部材（１１）から成り、各板部材（１１）の端縁をヒンジ（１２）で連結して成る基板（３）と、各板部材（１１）に形成した、光ファイバ（１）及び融着接続部分（２）の位置決めとなる溝（１３）と、前記基板（３）の各板部材（１１）に取り付けた、各光ファイバ（１）及び融着接続部分（２）を覆うシート材（４）と、を備え、前記光ファイバ（１）及び融着接続部分（２）を、各板部材（１１）の溝（１３）と各シート材（４）間に挟み粘着固定した状態で、各板部材（１１）を各ヒンジ（１２）で折り畳めるように構成した、ことを特徴とする。
【０００９】
各板部材（１１）に、光ファイバ（１）及び融着接続部分（２）の位置決めとなる溝（１３）を、該板部材（１１）の長手方向の中心線（ＣＬ）からずらして形成することが好ましい。
【発明の効果】
【００１０】
上記構成の発明では、複数本の光ケーブルの光ファイバ（１）及び融着接続部分（２）を、基板（３）とシート材（４）間に一括又は個別に挟むことにより、融着接続部分（２）を容易に粘着固定することができる。光ファイバ（１）のスリーブがないときには、適度なテンションを付与し、その対断線能力も向上させることができ、光ファイバ（１）が断線するおそれを回避することができる。そこで、４本又は８本といった１スロット単位で光ファイバ（１）の仮接続を実施することができる。
特に、基板（３）には、位置決めとなる凹部（５）が形成されているので、光ファイバ（１）及び融着接続部分（２）を、この凹部（５）に落とし込むように固定し、光ファイバ（１）部分については、シート材（４）により基板（３）へ密着固定することにより、光ファイバ（１）及び融着接続部分（２）の位置ずれを防止することができる。
【００１１】
また、複数枚の板部材（１１）から成る基板（３）では、光ファイバ（１）及び融着接続部分（２）を、各板部材（１１）とシート材（４）間に挟み粘着固定し、これら各板部材（１１）を折り畳むことにより、コンパクトに収納することができ、それぞれの光ファイバ（１）を容易に管理することができる。
【発明を実施するための最良の形態】
【００１２】
本発明の光ケーブルの融着部補強装置は、光ケーブルを仮接続する際に、一側の光ケーブルの光ファイバと他側の光ケーブルの光ファイバとを融着接続し、この融着接続部分を補強する装置である。
【実施例１】
【００１３】
以下、本発明の好ましい実施の形態を図面を参照して説明する。
図１は実施例１の光ケーブルの融着部補強装置を示す斜視図であり、（ａ）はシート材を基板に貼り付ける状態、（ｂ）はシート材を基板に貼り付けた状態である。
本発明の光ケーブルの融着部補強装置は、光ケーブルを接続試験する際、一側例えば測定器側の測定用光ケーブルの光ファイバ１と、他側例えば被測定用光ケーブルの光ファイバ１とを融着接続し、この融着接続部分２を補強する装置である。例えば、光ファイバ１について、その周囲が被覆されているときはこの被覆を剥がしてガラス部分を露出させる。この露出した光ファイバ１の端面同士を接合し、接合部を加熱融着して融着接続部分２とする。図示するように、光心線の融着接続部分２について、多心テープ（４心）について図示しているが、この４心は１例で、例えば１心でも本発明の融着部補強装置を使用できることは勿論である。
【００１４】
実施例１の光ケーブルの融着部補強装置は、この融着接続部分２を数本並べて固定するためのアクリル樹脂製等の剛性を有する基板３と、この基板３に、数本並べた光ファイバ１及び融着接続部分２を、この基板３に同時に貼り付けるシート材４とを備えたものである。この基板３とシート材４との間に、光ファイバ１及び融着接続部分２を挟み粘着固定するように構成した。なお、この基板３は、剛性を有する素材から成るものであれば、アクリル樹脂製の素材に限定されない。また、その寸法も限定されないことは勿論である。
【００１５】
この基板３には、位置決めとなる複数の凹部５を形成している。図１（ａ）に示すように、光ファイバ１及び融着接続部分２を、この凹部５に落とし込むように固定する。この凹部５は、図示するように、融着接続部分２は大きな凹部を形成し、光ファイバ１部分には凹部を形成していない。光ファイバ１部分については、シート材４により基板３へ密着固定するためである。シート材４が、光ファイバ１部分の多少の凹凸を吸収できるからである。なお、光ファイバ１部分にも凹部を形成するときは、位置ずれを防止するために、光ファイバ１の外径よりやや小さい径の凹部を形成することが好ましい。
【００１６】
実施例１のシート材４は、複数本の光ファイバ１及び融着接続部分２を一括して固定するように、基板３の略全面を覆う程度の大きさの１枚の部材である。これにより、基板３上に、光ファイバ１及び融着接続部分２を並べ、図１（ｂ）に示すように、その上に1枚のシート材４を貼り付ければ、複数本の光ファイバ１及び融着接続部分２を、基板３とシート材４間に一括して粘着固定することができる。粘着剤は基板３側又はシート材４側の何れに塗布してもよい。但し、基板３の表面に、光ファイバ１に関する接続情報を記入するときは、シート材４側に粘着剤を塗布することが好ましい。
【００１７】
また、本発明の光ケーブルの融着部補強装置は、光ファイバ１のスリーブがないときに、適度なテンションを付与し、その対断線能力も向上させることができ、光ファイバ１が断線するおそれを回避することができる。そこで、４本又は８本といった１スロット単位で光ファイバ１の仮接続を実施することができる。
【００１８】
図２は柔軟性を有する基板を用いた実施例１の変形例を示し、シート材を基板に貼り付ける状態の斜視図である。
この実施例１の変形例では、基板３自体をスポンジ状の柔軟性を有する素材にした。本発明の光ケーブルの融着部補強装置は、複数本の光ファイバ１及び融着接続部分２を、基板３とシート材４との間に一括して挟み粘着固定する装置である。そこで、基板３は図１に示したように、凹部５を形成した剛性を有する部材に限定されない。例えば、複数本の光ファイバ１及び融着接続部分２を、より緊密に密着固定するために、基板３自体をスポンジ状の柔軟性を有する素材、例えばウレタン樹脂を成型したものを用いることができる。この柔軟性を有する素材の下面には剛性を有する台座６を張り付けたものが好ましい。基板３が柔軟性を有していると、装着作業を的確に行なえないことがあるからである。なお、柔軟性を有する素材であっても、表面即ち光ファイバ１及び融着接続部分２を固定する面が軟らかく、その反対面が固くなるように成型したものであれば、この台座６は不要になる。
【実施例２】
【００１９】
図３は複数枚のシート材から成る実施例２の光ケーブルの融着部補強装置を示す斜視図であり、（ａ）はシート材を基板に貼り付ける状態、（ｂ）はシート材を基板に貼り付けた状態である。
実施例２の光ケーブルの融着部補強装置では、複数本の凹部５を形成した１枚の基板３に対してそれぞれに複数枚のシート材４を取り付けた。本発明の融着部補強装置は、複数本の光ファイバ１及び融着接続部分２を、１枚の基板３にシート材４を用いて一括して挟み粘着固定する装置であるが、シート材４は、各光ファイバ１及び融着接続部分２を覆う程度の大きさから成るものを用いることができる。このように構成すれば、複数の光ファイバ１及び融着接続部分２を個々に固定することができる。例えば図３（ｂ）に示すように、４本の光ファイバの中で、１本だけ交換又は装着し直すときは、該当するもののシート材４のみを剥がして作業することができる。残りの光ファイバ１に触れることなく該当する光ファイバ１のみを取り扱うことができる。
【００２０】
図４は柔軟性を有する基板を用いた実施例２の変形例を示す斜視図であり、（ａ）はシート材を基板に貼り付ける状態、（ｂ）はシート材を基板に貼り付けた状態である。
この実施例２の変形例でも、基板３自体をスポンジ状の柔軟性を有する素材を用いることができる。実施例２の構成でも、基板３については、凹部５を形成した剛性を有する素材で成型する必要はない。基板３自体を、例えばウレタン樹脂を成型したものを用いることができる。このように構成すれば、複数本の光ファイバ１及び融着接続部分２をより緊密に密着固定することができる。なお、このときも、装着作業を的確に行なえるように、剛性を有する台座６の上に柔軟性を有する素材を張り付けたもの等が好ましい。
【実施例３】
【００２１】
図５は複数枚の基板から成る実施例３の光ケーブルの融着部補強装置を示す正面図であり、（ａ）はシート材を各板部材に貼り付ける状態、（ｂ）はシート材を各板部材に貼り付け、板部材を折り畳む状態、（ｃ）は板部材を折り畳んだ状態である。
実施例３の光ケーブルの融着部補強装置は、基板３（板部材１１）自体をコンパクトに折り畳めるように構成した。この実施例３の融着部補強装置は、１枚の基板に代えて、複数枚の板部材１１から成り、各板部材１１の端縁をヒンジ１２で連結して成る基板３と、基板３の各板部材１１に取り付けた、各光ファイバ１及び融着接続部分２を覆うシート材４とを備えた。各板部材１１に、光ファイバ１及び融着接続部分２との位置決めとなる溝１３を形成した。このように構成した実施例３の融着部補強装置は、光ファイバ１及び融着接続部分２を、各板部材１１と各シート材４とに挟み粘着固定し、更に各板部材１１を折り畳める。このように各板部材１１を折り畳むことにより、コンパクトに収納することができ、それぞれの光ファイバ１を容易に管理することができる。
【００２２】
この実施例３の融着部補強装置でも、各板部材１１は溝１３を形成した剛性を有する素材に限定されない。各板部材１１自体をスポンジ状の柔軟性を有する素材を用いることができる。この柔軟性を有する素材の板部材１１では、溝１３を必ずしも形成する必要はない。
【実施例４】
【００２３】
図６は複数枚の基板から成る実施例４の光ケーブルの融着部補強装置を示す正面図であり、（ａ）はシート材を各板部材に貼り付ける状態、（ｂ）はシート材を各板部材に貼り付け、板部材を折り畳む状態、（ｃ）は板部材を折り畳んだ状態である。
実施例４の光ケーブルの融着部補強装置は、実施例３の基板３（板部材１１）の変形例である。この実施例４の融着部補強装置は、各板部材１１に、光ファイバ１及び融着接続部分２との位置決めとなる溝１３を中心線ＣＬからずらして形成した。このように構成した実施例４の融着部補強装置では、光ファイバ１及び融着接続部分２を、各板部材１１と各シート材４とに挟み粘着固定し、更に各板部材１１を折り畳む際に、光ファイバ１及び融着接続部分２との膨らみ部分が相互に干渉しないので、各板部材１１をコンパクトに折り畳むことができる。
【００２４】
各板部材１１が柔軟性を有する場合は、溝１３に代えて光ファイバ１を嵌め込むスリット又は切り欠き（図示していない）を形成したものでもよい。このようなスリット又は切り欠きにより光ファイバ１の位置決めを容易に行うことができる。
【００２５】
なお、本発明は、光ケーブルの光ファイバ１の融着接続部分２をコンパクトな部材で固定することで、同時に複数本の光ケーブルを補強固定することができ、かつ複数本のケーブルを容易に管理することができれば、上述した発明の実施の形態に限定されず、本発明の要旨を逸脱しない範囲で種々変更できることは勿論である。
【産業上の利用可能性】
【００２６】
本発明の光ケーブルの融着部補強装置は、他のケーブルの敷設工事の際にも利用することができる。
【図面の簡単な説明】
【００２７】
【図１】実施例１の光ケーブルの融着部補強装置を示す斜視図であり、（ａ）はシート材を基板に貼り付ける状態、（ｂ）はシート材を基板に貼り付けた状態である。
【図２】柔軟性を有する基板を用いた実施例１の変形例を示し、シート材を基板に貼り付ける状態の斜視図である。
【図３】複数枚のシート材から成る実施例２の光ケーブルの融着部補強装置を示す斜視図であり、（ａ）はシート材を基板に貼り付ける状態、（ｂ）はシート材を基板に貼り付けた状態である。
【図４】柔軟性を有する基板を用いた実施例２の変形例を示す斜視図であり、（ａ）はシート材を基板に貼り付ける状態、（ｂ）はシート材を基板に貼り付けた状態である。
【図５】複数枚の基板から成る実施例３の光ケーブルの融着部補強装置を示す正面図であり、（ａ）はシート材を各板部材に貼り付ける状態、（ｂ）はシート材を各板部材に貼り付け、板部材を折り畳む状態、（ｃ）は板部材を折り畳んだ状態である。
【図６】複数枚の基板から成る実施例４の光ケーブルの融着部補強装置を示す正面図であり、（ａ）はシート材を各板部材に貼り付ける状態、（ｂ）はシート材を各板部材に貼り付け、板部材を折り畳む状態、（ｃ）は板部材を折り畳んだ状態である。
【符号の説明】
【００２８】
１ 光ファイバ
２ 融着接続部分
３ 基板
４ シート材
５ 凹部
１１ 板部材
１２ ヒンジ
１３ 溝
【図１】
0005062889.tif 000002
【図２】
0005062889.tif 000003
【図３】
0005062889.tif 000004
【図４】
0005062889.tif 000005
【図５】
0005062889.tif 000006
【図６】
0005062889.tif 000007